(57)【要約】本発明は、人体に牽引力を加えるための装置（１）（図１参照）に関する。装置（１）は、使用者の背中上部を支持するための第一ボディサポート（２）と、第一ボディサポート（２）の上面（７）の上に配置され、かつ上面（７）に沿って摺動可能なヘッドレスト（３）とを備える。装置は、ヘッドレストを第一ボディサポートの上面（７）に沿って摺動させるための手段を有する。上面（７）に沿ったヘッドレスト（３）の摺動は、支持された頭を胴体から動かし、それによって人体に牽引力を加える。加えて、または代替的に、上面（７）を摺動するときに使用者の肩に牽引力を提供する、一対のショルダレスト（４）を設けることができる。好ましくは、ボディサポート（２）、ヘッドレスト（３）、およびショルダレスト（４）は全て膨張可能な袋体を備え、袋体を膨張させることによって使用者の身体に牽引力が加えられる。
2006517438.tif 000002
【特許請求の範囲】
【請求項１】
人体の第一部分を支持するべく、人体の前記第一部分によって係合可能な上面を有する第一ボディサポートと、
前記第一ボディサポートの前記上面の上に配置され、前記上面に沿って摺動可能である、人体の第二部分を支持するための第二ボディサポートと、
前記第二ボディサポートを前記第一ボディサポートの前記上面に沿って摺動させるための手段と、
を備え、
前記第一ボディサポートの前記上面に沿った前記第二ボディサポートの摺動が、人体の前記第二部分を人体の前記第一部分から遠ざけるように作用し、それによって人体に牽引力を加えるように構成された、
人体に牽引力を加えるための装置。
【請求項２】
前記第二ボディサポートは膨張可能な袋体を備え、前記第二ボディサポートに力を加えるための手段は、前記第二ボディサポートの前記膨張可能な袋体を膨張させるための膨張手段を備え、前記第二ボディサポートの前記袋体の膨張が前記第一ボディサポートの前記上面に沿った前記第二ボディサポートの摺動を引き起こす、請求項１に記載の装置。
【請求項３】
前記第一ボディサポートもまた、前記第二ボディサポートの前記膨張可能な袋体と流体接続している膨張可能な袋体を備え、それによってガスが前記第一ボディサポートの前記袋体から前記第二ボディサポートの前記袋体へ流動することができる、請求項２に記載の装置。
【請求項４】
抑制手段が前記第一ボディサポートの前記袋体から前記第二ボディサポートの前記袋体へのガスの流動を抑制する、請求項３に記載の装置。
【請求項５】
前記第一ボディサポートの前記袋体が、前記第二ボディサポートの前記袋体の膨張無しに完全にまたはかなり膨張させることができるので、前記第一ボディサポートの前記上面がその後に前記第一身体部分によって係合されたときに、体重が加えられた状態の前記第一ボディサポートの前記袋体が、ガスをその中に流入させ、前記第二ボディサポートの前記袋体を膨張させることによって膨張手段として作用する、請求項４に記載の装置。
【請求項６】
前記第一ボディサポートの前記袋体に関連付けられ、その袋体を膨張させるために使用することができ、かつその後前記装置の収納を容易にするために圧縮することができる弾性手段を備えた、請求項５に記載の装置。
【請求項７】
前記第一ボディサポートの前記袋体内にガスを送り込んで前記第一ボディサポートの前記袋体を膨張させ、かつ前記第一ボディサポートの前記袋体を通過させて、前記第二ボディサポートの前記袋体をも膨張させるためのポンプ手段を備え、前記抑制手段は、前記第一ボディサポートの前記袋体が前記第二ボディサポートの前記袋体より優先して膨張することを確実にする、請求項４に記載の装置。
【請求項８】
前記ポンプ手段はエアポンプである、請求項７に記載の装置。
【請求項９】
前記ポンプ手段は前記袋体を膨張させかつ収縮させることの両方ができる、請求項７または８に記載の装置。
【請求項１０】
前記ポンプ手段は、前記袋体を周期的に膨張させかつ収縮させるように動作する、請求項９に記載の装置。
【請求項１１】
前記第一ボディサポートの前記袋体に、前記袋体の二つの対向壁によって画定されるスリットが設けられ、前記袋体が膨張すると、前記対向壁は相互に押圧し合って前記スリットに隣接する前記上面の部分を移動させて、前記第一身体部分が前記スリットに跨って位置するときに前記第一身体部分に牽引力を加えるようにした、請求項７ないし１０のいずれか一つに記載の装置。
【請求項１２】
前記対向壁は、前記第一身体部分の上面および下面の周囲部分より高く突出する部分を持つように延在する、請求項１１に記載の装置。
【請求項１３】
前記第二ボディサポートは、第一端を前記第一ボディサポートに接続されかつ前記第二部分によって係合可能な表面を提供する第二遠端を有するアームを備え、前記アームは、前記第二遠端が前記第一身体部分の上面に重なるように、前記第一ボディサポートの側壁で折り返され、それによって前記第二ボディサポートの前記袋体の膨張が、前記アームの前記遠端を前記第一ボディサポートの前記上面に沿って摺動させる、請求項３ないし１２のいずれか一つに記載の装置。
【請求項１４】
前記第二ボディサポートの前記袋体は前記アームの全部または大部分を形成し、前記アームの遠端はひもによって前記第一ボディサポートの前記上面に固定され、前記アームは膨張したときにその折り曲げられた位置からまっすぐになろうとし、その結果前記第一ボディサポートの前記上面に沿った前記アームの遠端の摺動が生じる、請求項１３に記載の装置。
【請求項１５】
前記袋体からのガスの逸出を可能にするための弁手段を有し、前記弁手段は、前記袋体の制御された収縮速度を可能にするように制御可能である、請求項３ないし１４のいずれか一つに記載の装置。
【請求項１６】
前記第二ボディサポートはヘッドレストであり、前記第一ボディサポートは上体ボディレストである、請求項３ないし１５のいずれか一つに記載の装置。
【請求項１７】
前記第二ボディサポートはショルダレストであり、前記第一ボディサポートは背中上部バックレストである、請求項３ないし１５のいずれか一つに記載の装置。
【請求項１８】
前記第一ボディサポートは膨張したときにくさび形であり、前記第二ボディサポートは前記くさびの厚肉端で前記第一ボディサポートの前記上面に重なる、請求項３ないし１７のいずれか一つに記載の装置。
【請求項１９】
使用者である人間の背中上部を支持するべく、前記使用者である人間の前記背中上部によって係合可能な上面を有する第一ボディサポートと、
前記ボディサポートの前記上面の上に配置され、前記上面に沿って摺動可能であるヘッドレストと、
前記ボディサポートの前記上面の上に各々配置され、前記上面に沿って各々摺動可能である一対のショルダレストと、
前記使用者の首に牽引力を加えるように前記ヘッドレストを前記第一ボディサポートの前記上面に沿って摺動させるための手段と、
前記使用者の肩に牽引力を加えるように前記ショルダレストを前記第一ボディサポートの前記上面に沿って相互に離れるように摺動させるための手段と、
を備えた、人体に牽引力を加えるための装置。
【請求項２０】
前記ヘッドレストおよび前記ショルダレストは膨張可能な袋体を各々備え、前記ヘッドレストおよび前記ショルダレストを前記第一ボディサポートの前記上面で摺動させるための前記手段は、前記膨張可能な袋体を膨張させるための膨張手段を備え、前記袋体の膨張が前記第一ボディサポートの前記上面に沿った前記ヘッドレストおよび前記ショルダレストの摺動を引き起こす、請求項１９に記載の装置。
【請求項２１】
前記第一ボディサポートもまた、前記ヘッドレストおよび前記ショルダレストの前記膨張可能な袋体と流体接続している膨張可能な袋体を備え、それによってガスが前記第一ボディサポートの前記袋体から前記ヘッドレストおよび前記ショルダレストの前記袋体へ流動することができる、請求項２０に記載の装置。
【請求項２２】
抑制手段が前記第一ボディサポートの前記袋体から前記ヘッドレストおよび前記ショルダレストの前記袋体へのガスの流動を抑制する、請求項２１に記載の装置。
【請求項２３】
前記第一ボディサポートの前記袋体内にガスを送り込んで前記第一ボディサポートの前記袋体を膨張させ、かつ前記第一ボディサポートの前記袋体を通過させて、前記ヘッドレストおよび前記ショルダレストの前記袋体をも膨張させるためのポンプ手段を備え、前記抑制手段は、前記第一ボディサポートの前記袋体が前記ヘッドレストおよび前記ショルダレストの前記袋体より優先して膨張することを確実にする、請求項２２に記載の装置。
【請求項２４】
前記ポンプ手段はエアポンプである、請求項２３に記載の装置。
【請求項２５】
前記ポンプ手段は前記袋体を膨張させかつ収縮させることの両方ができる、請求項２３叉は２４に記載の装置。
【請求項２６】
前記ポンプ手段は、前記袋体を周期的に膨張させかつ収縮させるように動作する、請求項２５に記載の装置。
【請求項２７】
前記ヘッドレストは、第一端を前記第一ボディサポートに接続されかつ前記使用者の頭によって係合可能な表面を提供する第二遠端を有するアームを備え、前記アームは、前記第二遠端が前記第一身体部分の上面に重なるように、前記第一ボディサポートの側壁で折り返され、それによって前記ヘッドレストの前記袋体の膨張が、前記アームの前記遠端を前記第一ボディサポートの前記上面に沿って摺動させる、請求項２１ないし２６のいずれか一つに記載の装置。
【請求項２８】
各ショルダレストは、第一端を前記第一ボディサポートに接続されかつ前記使用者の肩によって係合可能な表面を提供する第二遠端を有するアームを備え、各アームは、前記アームの前記第二遠端が前記第一身体部分の上面に重なるように、前記第一ボディサポートの側壁で折り返され、それによって前記ショルダレストの前記袋体の膨張が、前記アームの前記遠端を前記第一ボディサポートの前記上面に沿って摺動させる、請求項２１ないし２７のいずれか一つに記載の装置。
【請求項２９】
前記ヘッドレストおよび前記ショルダレストの前記袋体は前記アームの全部または大部分を形成し、各アームの遠端はひもによって前記第一ボディサポートの前記上面に固定され、各アームは膨張したときにその折り曲げられた位置からまっすぐになろうとし、その結果前記第一ボディサポートの前記上面に沿った前記アームの遠端の摺動が生じる、請求項２８に記載の装置。
【請求項３０】
前記袋体からのガスの逸出を可能にするための弁手段を有し、前記弁手段は、前記袋体の制御された収縮速度を可能にするように制御可能である、請求項２１ないし２９のいずれか一つに記載の装置。
【請求項３１】
前記第一ボディサポートは膨張したときにくさび形であり、前記ヘッドレストは前記くさびの厚肉端で前記第一ボディサポートの前記上面に重なる、請求項２１ないし３０に記載の装置。
【請求項３２】
請求項１ないし１８のいずれか一つに記載の装置を使用する方法であって、
使用者は、彼／彼女の背中上部が前記第一ボディサポートと接触し、かつ彼／彼女の頭が前記第二ボディサポートと接触する状態で、前記装置の上に仰向けに横たわり、
前記第二ボディサポートは前記第一ボディサポートの前記上面を摺動して、使用者の首に牽引力を加えるようにした方法。
【請求項３３】
請求項１９ないし３１のいずれか一つに記載の装置を使用する方法であって、
使用者は、彼／彼女の背中上部が前記第一ボディサポートと接触し、彼／彼女の肩が前記ショルダレストと接触し、かつ彼／彼女の頭が前記ヘッドレストと接触する状態で、前記装置の上に仰向けに横たわり、
前記ヘッドレストおよび前記ショルダレストは全て前記第一ボディサポートの前記上面を摺動して、使用者の首および使用者の肩に牽引力を加えるようにした方法。
【発明の詳細な説明】
【技術分野】
【０００１】
本発明は、人体に牽引力を加えるための装置に関する。特に、それは、使用者が漸進的牽引力を首および／または背中および／または肩に加えて、身体的緊張の軽減を誘発し、かつＣＶ−４リラクゼーション技術をシミュレートすることを可能にするための装置に関する。
【背景技術】
【０００２】
リラクゼーションを助長するために使用されるエアクッションは、当業界で周知である。例えば下記特許文献１は、ポリフィル（ｐｏｌｙｆｉｌｌ）本体を有し、一端に膨張可能な袋体を含む枕を開示している。妊婦を支持するために、枕のサイズおよび形状を調整するように袋体を膨張させることができる。この装置は、リラクゼーションを助長しかつ刺激する牽引力をもたらさない。
【特許文献１】米国特許第４９８４３１５号
【発明の開示】
【０００３】
本発明は、第一側面では、
人体の第一部分を支持するべく、人体の第一部分によって係合可能な上面を有する第一ボディサポートと、
第一ボディサポートの上面の上に配置され、上面に沿って摺動可能である、人体の第二部分を支持するための第二ボディサポートと、
第二ボディサポートを第一ボディサポートの上面に沿って摺動させるための手段と、
を備え、
第二ボディサポートの第一ボディサポートの上面に沿った摺動が、人体の第二部分を人体の第一部分から遠ざけるように作用し、それによって人体に牽引力を加えるように構成された、
人体に牽引力を加えるための装置を提供する。
【０００４】
本発明は、第二側面では、
使用者である人間の背中上部を支持するべく、使用者である人間の背中上部によって係合可能な上面を有する第一ボディサポートと、
ボディサポートの上面の上に配置され、上面に沿って摺動可能であるヘッドレストと、
ボディサポートの上面の上に各々配置され、上面に沿って各々摺動可能である一対のショルダレストと、
使用者の首に牽引力を加えるようにヘッドレストを第一ボディサポートの上面に沿って摺動させるための手段と、
使用者の肩に牽引力を加えるようにショルダレストを第一ボディサポートの上面に沿って相互に離れるように摺動させるための手段と、
を備えた、人体に牽引力を加えるための装置を提供する。
【０００５】
したがって、該装置は使用者に刺激およびリラクゼーションを提供する。
【発明を実施するための最良の形態】
【０００６】
以下、本発明の好適な実施形態について添付図面を参照しながら例示的に説明する。
【０００７】
図１および図２に示すように、装置１は第一ボディサポート２、ヘッドレスト３の形の第二ボディサポート、および二つのショルダレスト４の形の第三および第四ボディサポートを備える。第一ボディサポート２、ヘッドレスト３、および二つのショルダレスト４は、装置１の上に横たわる人にリラクゼーションおよびストレス解放をもたらすように膨張可能かつ収縮可能な袋体として形成される。
【０００８】
ボディサポート２は、膨張したときに三角柱またはくさび形として実質的に形作られたエア袋体である。ボディサポート２は、下端１０に向かってテーパし、ボディサポート２の最大高さを確定する上端１１を有する。ボディサポート２は、側壁８および頂壁９によって支持される上面７を有する。
【０００９】
図１に示すように、ヘッドレスト３はボディサポート２と流体的に接続されたエア袋体である。それは、ボディサポート２の側壁８の間に等距離位置に、ボディサポート２の側壁１１に隣接して配置される。ヘッドレスト３は、ボディサポート２の上面７の上に位置する。ヘッドレスト３は事実上枕を形成し、使用者の頭を安楽な位置に支持する。
【００１０】
設けられるヘッドレスト３は、ボディサポート２に接続されたアーム５の遠端に設けられている。アーム５は、ボディサポート２の側壁９の基部に接続される。接続点は上面７から離して配置される。アームは可撓性材料製であり、その遠端が上面７の上に重なりヘッドレスト３となるように、側壁９を中心に折り畳まれる。
【００１１】
図１に示す通り、ショルダレスト４もまた、ボディサポート２に流体的に接続されたエア袋体から形成されたアームである。二つのショルダレスト４は、ボディサポート２の下端１０と上端１１との間のほぼ中間に配置され、ボディサポート２の上面７の上に重なるように折り畳むことができる（図１参照）。一つのショルダレスト４はボディサポート２の一方の側壁８に関連付けられ、一つのショルダレスト４は他方の側壁８に関連付けられる。こうして二つのショルダレスト４は、各ショルダレスト４がエアクッション１の上に横たわる使用者の肩と接触するように、適切な距離だけ離して配置される。
【００１２】
ショルダレスト４の各々はアーム６の遠端によって提供される。アーム６は、ボディサポートの上端１１と下端１０との間のほぼ中間で、ボディサポート２の側壁８の底部に接続される。接続点は上面７から離して配置される。アーム６はボディレスト２と流体接続し、ショルダレスト４とボディサポート２との間の空気流動を可能にする。図７はショルダレスト４および使用者を支持するボディサポート２を示す。
【００１３】
ヘッドレスト３およびショルダレスト４はボディサポート２に屈撓自在に接続されるので、それらはボディサポート２に対して容易に動くことができる。この動きは、該装置の機能の不可欠の一部である。しかし、動きの量および／または方向を制限することが好ましい。これはストラップ１２（図１参照）によって達成される。ストラップ１２は、ボディサポート２の上面７をヘッドレスト３の下面に接続する。ストラップ１２はまた、ボディサポート２の上面７を二つのショルダレスト４の下面にも接続する。ヘッドレスト３およびショルダレスト４は、二つの離散領域に取り付けられたストラップ１２を持つことが好ましい。一組のストラップ１２は、ヘッドレスト３およびショルダレスト４の遠端に隣接して取り付けられる。第二組のストラップ１２は、アームの遠端とボディサポート２の側壁との間のほぼ中間に取り付けられる。
【００１４】
ストラップ１２は、ヘッドレスト３およびショルダレスト４がボディサポート２の上面７から動くことのできる距離を制限する。しかし、ストラップ１２は、ボディサポート２の上面７の平面内におけるヘッドレスト３およびショルダレスト４の動きを実質的に制限しない。ストラップ１２は代わりに、ヘッドレスト３およびショルダレスト４をボディサポート２の上面７に平衡に摺動させ、上面７に対し垂直方向の動きを防止する。ストラップ１２は弾性、非弾性、または弾性および非弾性の組合せとすることができる。ストラップ１２は、使用者の頭を支えるために、膨張後にヘッドレスト３の上面に凹形の形状を取り入れさせるために、使用することができる。ストラップ１２はまた、ヘッドレスト３およびショルダレスト４の上面７に平行な方向の動きを制限して、使用者に加えられる牽引力を制限するためにも使用される。
【００１５】
ストラップ１２はまた、ヘッドレスト３が膨張したときに、ヘッドレスト３が使用者の耳を覆うのを防止する。使用者の耳が覆われると結果的に聴覚が部分に失われ、この感覚遮断は不安を引き起こし、リラクゼーションを妨げることがある。
【００１６】
図１に示すように、ボディサポート２の側壁８には弁４１が設けられる。弁４１はボディサポート２のエア袋体のエアポンプ１５との接続を可能にする。エアポンプ１５は電動機によって動力を供給され、可撓管３４、３５を介してボディサポート２内に、使用者によって制御することのできる速度で空気を送り込む。ポンプ１５はまた、袋体を所要速度で収縮させるためにも使用することができる。
【００１７】
エアポンプ１５は、エアポンプ１５に電気的に接続されたハンドセット１７によって制御することが好ましい。ハンドセット１７は、エアポンプ１５のオンおよびオフの切替え、空気の流れの方向、つまり袋体が膨張するかそれとも収縮するのかの制御、または空気の流量の制御など、エアポンプの一つまたはそれ以上の機能を制御することができる。ハンドセット１７はまた、予め定められた時間後に可聴アラーム音が発生するように、タイマおよびアラームを備えることもできる。ハンドセット１７はまた、膨張／収縮繰返し機能を備えることもできる。この機能では、ハンドセット１７はエアポンプ１５に袋体を膨張させ、次いでエア袋体１を収縮させ、次いでこのサイクルを周期的に繰り返すように指示する。
【００１８】
ハンドセット１７はエアポンプ１５から遠隔配置されるので、使用者はハンドセット１７を保持しながら、エアポンプ１５の位置について柔軟性を持つ。図示した実施形態では、管３４がエアポンプ１５からＴ形コネクタ３５まで延びる。一本の管３４はＴ形コネクタ３５を弁４１に接続し、一本の管３４はＴ形コネクタ３５をハンドセット１７に接続する。これは、ハンドセット１７が弁１４に流入するエアの流量を制御することを可能にする。ハンドセット１７をエアポンプ１５に接続する電線は、管３４およびＴコネクタ３５内に通すことができる。
【００１９】
使用時に、装置１は床またはベッドのような平坦な水平面上に配置される。使用者は、彼／彼女の背中上部がボディサポート２によって支持されるように、仰臥位またはリクライニング姿勢でエアクッション１の上に横たわる。使用者の頭はヘッドレスト３上に配置され、使用者の肩はショルダレスト４の各々に一つずつ配置される。ポンプ１５がハンドセット１７でスイッチを投入され、エア袋体を膨張させ始める。ボディサポート２、ヘッドレスト３、およびショルダレスト４の全てが、徐々に充気し始める。ボディレスト２の袋体からヘッドレスト３およびショルダレスト４の袋体へ通過する空気は、狭窄オリフィス、例えば４５（図３参照）を強制通過させられる。これは、ボディレスト２が、よりゆっくり膨張するヘッドレスト３およびショルダレスト４に優先して、膨張することを意味する。
【００２０】
ボディサポート２およびアーム５が膨張するにつれて、それらは拡張する。アーム５は側壁９を圧迫し、壁９およびボディサポート２から遠ざかるように拡張する。ボディサポート２の拡張もまた、ボディサポートへのアームの接続点を中心に、アーム５を枢動させる。アーム５の動きはヘッドレスト３を、上面７に沿ってボディレスト２の上端１１に向かって摺動させる。ヘッドレスト２の動きは、ストラップ１２のため、ボディサポート２の上面７の面内で行なわれる。この動きは、使用者の頭を彼／彼女の胴体から遠ざかる方向に動かす、穏やかな力をもたらす。エア袋体は徐々に膨張するので、この力は徐々に増加し、したがって使用者は、リラックスし、穏やかにストレッチし、牽引する感覚を経験する。使用者は、リラクゼーションを妨げたり傷害を引き起こすような、いかなる鋭いあるいは突然の力も経験しない。
【００２１】
同様の方法で、ショルダレスト４は、それらのエア袋体が膨張するにつれて、徐々に外向きに動く。アーム６が膨張すると、それらは拡張し、側壁８を圧迫する。ボディサポート２の拡張もまた、アーム６を動かす。それらが拡張し続けると、アーム６の遠端のショルダレスト４は側壁８の方向に、ボディサポート２の上面７の中心から遠ざかるように引っ張られる。この動きはストラップ１２によってボディサポート２の上面７の面内に維持され、かつ動きは使用者の肩に漸進的な静かなストレッチ力をもたらす。
【００２２】
ヘッドレスト３およびそのアーム５、ならびにショルダレスト４およびそれらのアーム６の膨張および収縮は、ヘッドレスト３およびショルダレスト４をボディサポートの上面７から遠ざける傾向がある。ストラップ１２は、ヘッドサポート３およびショルダサポート４の動きが実質的に上面７の面内で行なわれることを確実にする。
【００２３】
装置１はさらに、使用者の背中の長さに沿って漸進的なストレッチ効果をもたらす。ボディサポート２のエア袋体が膨張すると、上面７は三角形の斜辺を形成する。これは、未膨張エア袋体の有効長より少し長いので、結果的に使用者の背中のストレッチを生じる。
【００２４】
完全に膨張したときに、ボディサポート２は三角柱の形状であり、使用者の頭が持ち上げられる。ボディサポート２は下端１０に向かってテーパするので、高さまたは圧力の急な変化の無い、使用者の背中のための連続した支持体になる。
【００２５】
ひとたびエア袋体が完全に膨張すると、それらは徐々に収縮する。これは、ポンプ１５を通して、またはハンドセット１７の狭窄弁を通して空気を引き戻すことによって、達成される。エアクッション１の収縮１はまた、空気がエア袋体１からゆっくりと放出されるので、使用者にリラックス経験を提供する。使用者はゆっくり沈む感覚を経験し、彼／彼女の頭および肩に働く力は徐々に減少する。
【００２６】
エア袋体１の膨張および収縮のサイクルは、希望するならば、周期的に繰り返すことができる。平坦な水平面上で使用されるだけでなく、エア袋体は、使用者が着座姿勢から後方にボディサポート２に寄りかかる状態で使用することもできる。
【００２７】
代替的使用法では、使用者は、彼／彼女の背中をヘッドサポート２に載せ、彼／彼女の頭を下端１１に隣接させた状態で、装置１の上に横たわることができる。これは異なる姿勢および形のリラクゼーションを提供し、リラックスさせる牽引感覚が背中下部および仙骨関節に付与される。
【００２８】
ヘッドレスト３の動きを増加するために、アーム５と側壁９との間にパッド１６（図６参照）を配置することができる（パッドはどちらかに取り付けることができる）。パッド１６は、アーム５と側壁９との間の空間を満たすように働くので、袋体が膨張すると、アーム５およびボディサポート２の拡張の結果、ヘッドレスト３が即座に動くようになる。パッド１６と同様のパッドを使用して、ショルダサポート４の動きを増加することもできる。
【００２９】
装置１は、成人である使用者の頭および胴体を支持するのに十分な大きさであることが好ましい。しかし、ボディサポートは、使用者の身体全体を支持するのに十分な大きさとすることができる。ボディサポート２は長さがかなり大きくなるが、装置は同様の方法で機能する。使用者の頭がヘッドサポート３の上にあるときに、使用者の足は下端１１に隣接することになる。
【００３０】
ボディサポート２が完全に収縮したときでも、使用者に多少の支持を提供するために、ボディサポート２の内側にインサート１３（図４参照）を配置することができる。インサート１３は直方体とするかまたは曲面を持つことができ、発泡体または類似物から作成することができ、あるいはそれは膨張可能にすることができる。インサート１３は、二つの側壁８から等距離に、かつボディサポート２の底部に（つまり、上面から間隔を置いて）、ボディサポート２の上端１１に隣接して配置することが好ましい。
【００３１】
発泡体のインサート１３は、使用者が追加的行為を実行することなく、使用者に支持を提供するという利点を有する。膨張可能なインサート１３はその膨張および収縮を可能にする弁を必要とし、かつ膨張可能なインサート１３は、使用者に支持を提供する前に、それを膨張させなければならない。しかし、膨張可能なインサート１３は、収縮させることができ、したがってエアクッション１を完全に収縮させて、小さいサイズに折り畳むことが可能であるという利点を有する。
【００３２】
装置１をこれまでエアポンプ１５によって膨張させるものとして記述してきた。代替的に、ボディサポート２は内枠の使用により自己膨張することができる。これは、別個のエアポンプ１５および電源が必要無いという利点を有する。
【００３３】
図８ないし１１に示すように、自己膨張は、ボディサポート２の外周に上面７に隣接して取り付けられたブラケット１９（図１１参照）を使用して達成される。コーナブラケット２０もまたボディサポート２に取り付けられ、ばね負荷される。単数または複数の可撓性ロッド２１がブラケット１９およびコーナブラケット２０に挿通される。これは、ボディサポート２の側壁８が緊張状態にあることを確実にする。
【００３４】
ボディサポート２の内部に、Ｚ形の枠（図１０参照）が頂板２２、中間板２３、および底板２４から形成される。頂板２２および中間板２３は、蝶番２５（図８および９参照）によって回転自在に接合され、中間板２３および底板２４もまた蝶番２５によって回転自在に接合されて、断面がＺ字形の枠が形成される。弾性インサート３２（図８および９参照）は、頂板２２と中間板２３との間に蝶番２５に隣接して挿入され、弾性インサート３２（図８および９参照）は、中間板２３と底板２４との間に蝶番２５に隣接して挿入される。弾性インサート３２は、弾性特性を有する発泡体状材料から形成される。弾性インサート３２は中間板２３に蝶番２５を中心に回転させ、頂板２２は、蝶番２５を中心に回転することによって、中間板２３から上方に遠ざかるように促される。こうして、底板２４および頂板２２は、それらが実質的に平行かつ相隔てて位置する状態へと促される。
【００３５】
抑制コード２９は、頂板２２が底板２４から遠ざかることのできる距離を制限する。抑制コード２９は、頂板２２および底板２４に接続され、中間板２３で装置３３内を貫通する。抑制コード２９はしたがってＺ形枠の最大高さを制限し、それに荷重が掛からないときにはそれが一貫したサイズに戻ることを確実にする。頂板２２の上に弾性パッド３０が配置される。パッド３０は、剛性頂板２２に対する緩衝を使用者に提供する。
【００３６】
底板２４は、図１０に示すように、スリーブ３１によってボディサポート２の下部に固定される。スリーブ３１は、底板２４よりわずかに大きい寸法の材料の略矩形片である。スリーブ３１は三方をボディサポート２の内側に付着され、スリーブ２４とボディサポート２との間に底板２４を挿入することが可能である。底板２４はしたがって、所定の位置に着脱自在に保持される。
【００３７】
Ｚ形枠の動きは、バトン２６、ロッド２７、およびブラケット２８（図１０参照）によって、ボディサポート２の上の枠に伝達される。バトン２６は頂板２２に固定され、二つのバトン２６が頂板２２をボディサポート２の各側壁８に接続する。ロッド２７がバトン２６の遠端に接続され、ロッド２７は側壁８と平行に延びる。ロッド２７はブラケット２８に固定される。ブラケット２８は、側壁８の枠を形成するロッド２１に固定される。Ｚ形枠はこうして、ボディサポート２の外周枠に接続される。
【００３８】
装置は、最初は、Ｚ形枠が実質的に平坦に折り畳まれた状態で、収縮される。装置を使用するように準備するために、弁（例えばハンドセット１７にある）が開かれ、次いで空気がボディサポート２内に流入することが可能になり、頂部の板２２が弾性インサート３２によって底板２４と相隔たる関係へと促される。これにより、ロッド２７およびロッド２１によってボディサポート２の幅全体にわたって、ボディサポート２の高さが増大する。次いで、使用者がボディサポート２の上に横たわると、彼／彼女の体重が弾性インサート３２を圧迫し、Ｚ形枠を押し潰す。
【００３９】
ヘッドレスト３およびショルダレスト４は、ボディサポート２と流体連通状態で、アームの遠端に設けられる（図１１参照）。使用時に、アームは、図１１のそれらの展開位置から、それらの遠端がボディレスト２の頂面の上に重なり、ヘッドレストおよびショルダレストを提供する位置に折り曲げられる。アーム内への空気の流入を遅らせるために、狭窄を設けることが好ましい。ヘッドサポート３を提供するアーム５が図９に示され、そこで側壁１１に狭窄弁４３を見ることができる。アーム５とボディサポート２との間の全ての流体連通は、狭窄弁４３を介する。弁４３は、アーム５への制限された空気流量を可能にするように選択される。
【００４０】
ショルダレスト４のアームへの空気流量の狭窄も、適切な狭窄弁によって達成することが好ましい。アーム６とボディサポート２との間の全ての流体連通は、アーム６への制限された空気流量を可能にする狭窄弁を介することが好ましい。
【００４１】
使用者が装置に寄りかかると、拡張したボディレスト２内の空気は、使用者の体重によって圧縮され、圧縮された空気は狭窄弁を介してアーム５、６内に流入し、次いでそれらは膨張する。アームの膨張はヘッドレスト３およびショルダレスト４を、ボディサポート２の上面７上で摺動させ、使用者の首および肩に牽引力を加える。この期間中、ハンドセット１７の弁は閉じられ、空気が装置から大気中に流出するのを防止する。
【００４２】
牽引力の付与後、ハンドセット１７は、空気を装置から外に流出させ、使用者の体重によりＺ形枠を圧縮させるように操作される。ボディサポート２の圧縮の速度は、ハンドセット１７内の弁を通過する空気流量を制限することによって、制御することができる。これにより、使用者は空気の流量を制御することができる。ハンドセットは、空気の流量を変えるために使用者がサイズを変化させることができる、可変アパーチャを有する。
【００４３】
上記装置の両方の実施形態は、エアクッション１が膨張するときに外向きに動くショルダレスト４を有する。しかし、装置１の一部の先進的な外向きの動きを達成することのできる他の手段がある。図１２および１３に示す別の実施形態では、ショルダレスト４が無く、代わりにボディサポート２には対向内壁１８が設けられる。内壁１８は、ボディサポート２の中心にスリットを画定する。対向内壁１８は側壁８の間の中心に配置され、下端１０と上端１１との間の中心位置で、ボディサポート２の長さの約半分にわたって延在する。図１３に示すように、内部側壁１８は、エア袋体が膨張したとき、側壁８の長さより大きい長さになる。
【００４４】
ボディサポート２が膨張し始めると、対向内壁１８は、ボディサポート２内部の空気圧によって圧迫し合う。空気圧が増加し続けると、内部側壁１８の過度の長さ（側壁８と比較して）が徐々に、ボディサポート２の周囲の上面７および下面より高く突出する、壁の形成部分に変化する。したがって、ボディサポート２の幅が中心から増大し、つまり、上面７の材料がボディサポート２の中心領域で中心から外方に延出するようになる。これは、ショルダサポート４によって達成されるのと同様の外向きの力を使用者の肩に徐々にもたらす効果を有する。収縮後に、ボディサポート２は縮小し、内部側壁１８の長さは減少する。これは、上面７の面内で、ボディサポート２の中心に向かう内向きの力を利用者の肩に提供する。
【００４５】
図１２に示すように、ヘッドレスト３にタブ３６を設けることができ、かつボディサポート２にタブ３７を設けることができる。タブ３６および３７は、エアクッション上に対称的に配置され、ボディサポート２およびヘッドサポート３がまっすぐな状態であるかどうかを使用者が手動で判断することを可能にする。ヘッドレスト３については、上記実施形態で説明した通りである。
【００４６】
図１２および１３に示す通り、装置１にはアームサポート３９を設けることができる。アームサポート３９はボディサポート２の二つの側壁８に配置され、ボディサポート２から外向きに延出する。アームサポート３９は、使用者の腕の支持を提供する。アームサポート３９は膨張可能であることが好ましく、アーム弁４０によってボディサポート２と流体接続される。アーム弁４０は、アーム内への空気の自由通過を可能にし、あるいはアーム内への空気の流入を抑制することができる。代替的に、アーム弁４０を閉じて、アームサポート３９が膨張しないようにすることができる。アームサポート３９は、ボディサポート２の後ろに折り曲げることができる。
【００４７】
各実施形態において、ボディサポート２が大きい圧力下に置かれた場合に、空気をボディサポート２から排出させる、バースト弁をボディサポート２に設けることができる。該弁はこうして、エア袋体が大きい圧力に曝された場合にそれが破裂するのを防止する。そのような弁はまた、空気を急速にエア袋体に流入させたり、エア袋体から排出させるために開くこともできる。
【００４８】
ボディサポート２、ヘッドレスト３、ショルダレスト４、およびもし使用するならばアームサポート３９は、カバーで覆うことが好ましい。カバーは損傷および磨耗を防止する。カバーは取外し可能であり、かつ魅力的な外見を提供する。
【００４９】
ボディサポート２、ヘッドレスト３、ショルダレスト４、およびもし使用するならばアームサポート３９は、ＰＶＣ、ゴム引きコットン、または類似の材料から製造することが好ましい。これらの材料は軽量、可撓性であり、気密密封を形成することができる。ボディサポート２、ヘッドレスト３、ショルダレスト４、またはアームサポート３９のいずれの部品も、装置にパッドおよび構造を提供するために、発泡体状材料から形成することができる。
【００５０】
カバーは、コットン、マイクロパイル、フロック、またはベロアのような、使用者が触れるのに快適で心地よい材料から形成することができる。
【００５１】
上記で、ヘッドレスト３について、アーム５と流体接続状態のエア袋体として記載した。しかし、ヘッドレストをアーム５とは独立して形成することも可能である。
【００５２】
ヘッドレスト３は、使用者の頭の支持を提供するために、発泡体のような材料から形成することができる。ヘッドサポート３は、アーム５が膨張したときに、依然としてボディサポート２に対して相対的に動く。さらにアーム５はボディサポート２とも流体連通しないようにすることもできるが、別個に膨張可能にすることができる。
【００５３】
ショルダレスト４について、アーム６の一部として記載した。しかし、ショルダレスト４をアーム６とは独立するように形成することも可能である。ショルダレスト４は膨張可能にしないことができ、代わりに、発泡体のような材料から形成して、使用者の肩のための支持を提供することができる。ショルダレスト４は、アーム６が膨張したときに、依然としてボディサポート２に対して相対的に動く。さらに、アーム６はボディサポート２２とも流体接続しないようにすることもできるが、別個に膨張可能にすることができる。
【図面の簡単な説明】
【００５４】
【図１】本発明に係る装置の第一実施形態の斜視図である。
【図２】図１の装置の斜視図である。
【図３】図１および図２の装置の一部分における断面図である。
【図４】部分的に展開された状態のヘッドレストを示す、図１ないし図３の装置の第一変形例の断面図である。
【図５】ヘッドレストが折り畳まれ、部分的に収縮した状態の変形例を示す図４の変形例の断面図である。
【図６】図１ないし図３の装置の第二変形例の断面図である。
【図７】ショルダレストを示す図１ないし図３の装置の一部分の立面図である。
【図８】ヘッドレストが折り畳まれた状態の本発明の第二実施形態の装置の一部分の第一断面図である。
【図９】ヘッドレストが折り畳まれた状態の図８に示した装置の一部分の第二断面図である。
【図１０】図８および図９の装置の折り畳み枠組の斜視図である。
【図１１】図８ないし図１０の装置の平面図である。
【図１２】本発明の第三実施形態に係る装置の平面図である。
【図１３】図１２の装置の一部分の図である。
【図１】
2006517438.tif 000003
【図２】
2006517438.tif 000004
【図３】
2006517438.tif 000005
【図４】
2006517438.tif 000006
【図５】
2006517438.tif 000007
【図６】
2006517438.tif 000008
【図７】
2006517438.tif 000009
【図８】
2006517438.tif 000010
【図９】
2006517438.tif 000011
【図１０】
2006517438.tif 000012
【図１１】
2006517438.tif 000013
【図１２】
2006517438.tif 000014
【図１３】
2006517438.tif 000015
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
人体の第一部分を支持するべく、人体の前記第一部分によって係合可能な上面を有する第一ボディサポートと、
前記第一ボディサポートの前記上面の上に配置され、前記上面に沿って摺動可能である、人体の第二部分を支持するための第二ボディサポートと、
前記第二ボディサポートを前記第一ボディサポートの前記上面に沿って摺動させるための手段と、
を備え、
前記第一ボディサポートの前記上面に沿った前記第二ボディサポートの摺動が、人体の前記第二部分を人体の前記第一部分から遠ざけるように作用し、それによって人体に牽引力を加えるように構成され、
前記第二ボディサポートは膨張可能な袋体を備え、かつ前記第二ボディサポートに力を加えるための前記手段は、前記第二ボディサポートの前記膨張可能な袋体を膨張させるための手段を備え、前記第二ボディサポートの前記袋体の膨張が、前記第一ボディサポートの前記上面に沿った前記第二ボディサポートの摺動を引き起こすように構成された、
人体に牽引力を加えるための装置。
【請求項２】
前記第一ボディサポートもまた、前記第二ボディサポートの前記膨張可能な袋体と流体接続している膨張可能な袋体を備え、それによってガスが前記第一ボディサポートの前記袋体から前記第二ボディサポートの前記袋体へ流動することができる、請求項１に記載の装置。
【請求項３】
抑制手段が前記第一ボディサポートの前記袋体から前記第二ボディサポートの前記袋体へのガスの流動を抑制する、請求項２に記載の装置。
【請求項４】
前記第一ボディサポートの前記袋体が、前記第二ボディサポートの前記袋体の膨張無しに完全にまたはかなり膨張させることができるので、前記第一ボディサポートの前記上面がその後に前記第一身体部分によって係合されたときに、体重が加えられた状態の前記第一ボディサポートの前記袋体が、ガスをその中に流入させ、前記第二ボディサポートの前記袋体を膨張させることによって膨張手段として作用する、請求項３に記載の装置。
【請求項５】
前記第一ボディサポートの前記袋体に関連付けられ、その袋体を膨張させるために使用することができ、かつその後前記装置の収納を容易にするために圧縮することができる弾性手段を備えた、請求項４に記載の装置。
【請求項６】
前記第一ボディサポートの前記袋体内にガスを送り込んで前記第一ボディサポートの前記袋体を膨張させ、かつ前記第一ボディサポートの前記袋体を通過させて、前記第二ボディサポートの前記袋体をも膨張させるためのポンプ手段を備え、前記抑制手段は、前記第一ボディサポートの前記袋体が前記第二ボディサポートの前記袋体より優先して膨張することを確実にする、請求項３に記載の装置。
【請求項７】
前記ポンプ手段はエアポンプである、請求項６に記載の装置。
【請求項８】
前記ポンプ手段は前記袋体を膨張させかつ収縮させることの両方ができる、請求項６または８に記載の装置。
【請求項９】
前記ポンプ手段は、前記袋体を周期的に膨張させかつ収縮させるように動作する、請求項８に記載の装置。
【請求項１０】
前記第一ボディサポートの前記袋体に、前記袋体の二つの対向壁によって画定されるスリットが設けられ、前記袋体が膨張すると、前記対向壁は相互に押圧し合って前記スリットに隣接する前記上面の部分を移動させて、前記第一身体部分が前記スリットに跨って位置するときに前記第一身体部分に牽引力を加えるようにした、請求項６ないし９のいずれか一つに記載の装置。
【請求項１１】
前記対向壁は、前記第一身体部分の上面および下面の周囲部分より高く突出する部分を持つように延在する、請求項１０に記載の装置。
【請求項１２】
前記第二ボディサポートは、第一端を前記第一ボディサポートに接続されかつ前記第二部分によって係合可能な表面を提供する第二遠端を有するアームを備え、前記アームは、前記第二遠端が前記第一身体部分の上面に重なるように、前記第一ボディサポートの側壁で折り返され、それによって前記第二ボディサポートの前記袋体の膨張が、前記アームの前記遠端を前記第一ボディサポートの前記上面に沿って摺動させる、請求項２ないし１１のいずれか一つに記載の装置。
【請求項１３】
前記第二ボディサポートの前記袋体は前記アームの全部または大部分を形成し、前記アームの遠端はひもによって前記第一ボディサポートの前記上面に固定され、前記アームは膨張したときにその折り曲げられた位置からまっすぐになろうとし、その結果前記第一ボディサポートの前記上面に沿った前記アームの遠端の摺動が生じる、請求項１２に記載の装置。
【請求項１４】
前記袋体からのガスの逸出を可能にするための弁手段を有し、前記弁手段は、前記袋体の制御された収縮速度を可能にするように制御可能である、請求項２ないし１３のいずれか一つに記載の装置。
【請求項１５】
前記第二ボディサポートはヘッドレストであり、前記第一ボディサポートは上体ボディレストである、請求項２ないし１４のいずれか一つに記載の装置。
【請求項１６】
前記第二ボディサポートはショルダレストであり、前記第一ボディサポートは背中上部バックレストである、請求項２ないし１４のいずれか一つに記載の装置。
【請求項１７】
前記第一ボディサポートは膨張したときにくさび形であり、前記第二ボディサポートは前記くさびの厚肉端で前記第一ボディサポートの前記上面に重なる、請求項２ないし１６のいずれか一つに記載の装置。
【請求項１８】
使用者である人間の背中上部を支持するべく、前記使用者である人間の前記背中上部によって係合可能な上面を有する第一ボディサポートと、
前記ボディサポートの前記上面の上に配置され、前記上面に沿って摺動可能であるヘッドレストと、
前記ボディサポートの前記上面の上に各々配置され、前記上面に沿って各々摺動可能である一対のショルダレストと、
前記使用者の首に牽引力を加えるように前記ヘッドレストを前記第一ボディサポートの前記上面に沿って摺動させるための手段と、
前記使用者の肩に牽引力を加えるように前記ショルダレストを前記第一ボディサポートの前記上面に沿って相互に離れるように摺動させるための手段と、
を備え、
前記ヘッドレストおよび前記ショルダレストは膨張可能な袋体を各々備え、かつ前記ヘッドレストおよび前記ショルダレストに前記第一ボディサポートの前記上面を摺動させるための前記手段は、前記膨張可能な袋体を膨張させるための手段を備え、前記袋体の膨張は前記第一ボディサポートの前記上面に沿った前記ヘッドレストおよび前記ショルダレストの摺動を引き起こすように構成された、
人体に牽引力を加えるための装置。
【請求項１９】
前記第一ボディサポートもまた、前記ヘッドレストおよび前記ショルダレストの前記膨張可能な袋体と流体接続している膨張可能な袋体を備え、それによってガスが前記第一ボディサポートの前記袋体から前記ヘッドレストおよび前記ショルダレストの前記袋体へ流動することができる、請求項１８に記載の装置。
【請求項２０】
抑制手段が前記第一ボディサポートの前記袋体から前記ヘッドレストおよび前記ショルダレストの前記袋体へのガスの流動を抑制する、請求項１９に記載の装置。
【請求項２１】
前記第一ボディサポートの前記袋体内にガスを送り込んで前記第一ボディサポートの前記袋体を膨張させ、かつ前記第一ボディサポートの前記袋体を通過させて、前記ヘッドレストおよび前記ショルダレストの前記袋体をも膨張させるためのポンプ手段を備え、前記抑制手段は、前記第一ボディサポートの前記袋体が前記ヘッドレストおよび前記ショルダレストの前記袋体より優先して膨張することを確実にする、請求項２０に記載の装置。
【請求項２２】
前記ポンプ手段はエアポンプである、請求項２１に記載の装置。
【請求項２３】
前記ポンプ手段は前記袋体を膨張させかつ収縮させることの両方ができる、請求項２１叉は２２に記載の装置。
【請求項２４】
前記ポンプ手段は、前記袋体を周期的に膨張させかつ収縮させるように動作する、請求項２３に記載の装置。
【請求項２５】
前記ヘッドレストは、第一端を前記第一ボディサポートに接続されかつ前記使用者の頭によって係合可能な表面を提供する第二遠端を有するアームを備え、前記アームは、前記第二遠端が前記第一身体部分の上面に重なるように、前記第一ボディサポートの側壁で折り返され、それによって前記ヘッドレストの前記袋体の膨張が、前記アームの前記遠端を前記第一ボディサポートの前記上面に沿って摺動させる、請求項１９ないし２４のいずれか一つに記載の装置。
【請求項２６】
各ショルダレストは、第一端を前記第一ボディサポートに接続されかつ前記使用者の肩によって係合可能な表面を提供する第二遠端を有するアームを備え、各アームは、前記アームの前記第二遠端が前記第一身体部分の上面に重なるように、前記第一ボディサポートの側壁で折り返され、それによって前記ショルダレストの前記袋体の膨張が、前記アームの前記遠端を前記第一ボディサポートの前記上面に沿って摺動させる、請求項１９ないし２５のいずれか一つに記載の装置。
【請求項２７】
前記ヘッドレストおよび前記ショルダレストの前記袋体は前記アームの全部または大部分を形成し、各アームの遠端はひもによって前記第一ボディサポートの前記上面に固定され、各アームは膨張したときにその折り曲げられた位置からまっすぐになろうとし、その結果前記第一ボディサポートの前記上面に沿った前記アームの遠端の摺動が生じる、請求項２６に記載の装置。
【請求項２８】
前記袋体からのガスの逸出を可能にするための弁手段を有し、前記弁手段は、前記袋体の制御された収縮速度を可能にするように制御可能である、請求項１９ないし２７のいずれか一つに記載の装置。
【請求項２９】
前記第一ボディサポートは膨張したときにくさび形であり、前記ヘッドレストは前記くさびの厚肉端で前記第一ボディサポートの前記上面に重なる、請求項１９ないし２８に記載の装置。
【請求項３０】
請求項１ないし１７のいずれか一つに記載の装置を使用する方法であって、
使用者は、彼／彼女の背中上部が前記第一ボディサポートと接触し、かつ彼／彼女の頭が前記第二ボディサポートと接触する状態で、前記装置の上に仰向けに横たわり、
前記第二ボディサポートは前記第一ボディサポートの前記上面を摺動して、使用者の首に牽引力を加えるようにした方法。
【請求項３１】
請求項１８ないし２９のいずれか一つに記載の装置を使用する方法であって、
使用者は、彼／彼女の背中上部が前記第一ボディサポートと接触し、彼／彼女の肩が前記ショルダレストと接触し、かつ彼／彼女の頭が前記ヘッドレストと接触する状態で、前記装置の上に仰向けに横たわり、
前記ヘッドレストおよび前記ショルダレストは全て前記第一ボディサポートの前記上面を摺動して、使用者の首および使用者の肩に牽引力を加えるようにした方法。
【手続補正２】
【補正対象書類名】明細書
【補正対象項目名】全文
【補正方法】変更
【補正の内容】
【発明の詳細な説明】
【技術分野】
【０００１】
本発明は、人体に牽引力を加えるための装置に関する。特に、それは、使用者が漸進的牽引力を首および／または背中および／または肩に加えて、身体的緊張の軽減を誘発し、かつＣＶ−４リラクゼーション技術をシミュレートすることを可能にするための装置に関する。
【背景技術】
【０００２】
リラクゼーションを助長するために使用されるエアクッションは、当業界で周知である。例えば下記特許文献１は、ポリフィル（ｐｏｌｙｆｉｌｌ）本体を有し、一端に膨張可能な袋体を含む枕を開示している。妊婦を支持するために、枕のサイズおよび形状を調整するように袋体を膨張させることができる。この装置は、リラクゼーションを助長しかつ刺激する牽引力をもたらさない。
【特許文献１】米国特許第４９８４３１５号
【発明の開示】
【０００３】
本発明は、第一側面では、
人体の第一部分を支持するべく、人体の第一部分によって係合可能な上面を有する第一ボディサポートと、
第一ボディサポートの上面の上に配置され、上面に沿って摺動可能である、人体の第二部分を支持するための第二ボディサポートと、
第二ボディサポートを第一ボディサポートの上面に沿って摺動させるための手段と、
を備え、
第二ボディサポートの第一ボディサポートの上面に沿った摺動が、人体の第二部分を人体の第一部分から遠ざけるように作用し、それによって人体に牽引力を加えるように構成され、
第二ボディサポートは膨張可能な袋体を備え、かつ第二ボディサポートに力を加えるための手段は、第二ボディサポートの膨張可能な袋体を膨張させるための手段を備え、第二ボディサポートの袋体の膨張が、第一ボディサポートの上面に沿った第二ボディサポートの摺動を引き起こすように構成された、
人体に牽引力を加えるための装置を提供する。
【０００４】
本発明は、第二側面では、
使用者である人間の背中上部を支持するべく、使用者である人間の背中上部によって係合可能な上面を有する第一ボディサポートと、
ボディサポートの上面の上に配置され、上面に沿って摺動可能であるヘッドレストと、
ボディサポートの上面の上に各々配置され、上面に沿って各々摺動可能である一対のショルダレストと、
使用者の首に牽引力を加えるようにヘッドレストを第一ボディサポートの上面に沿って摺動させるための手段と、
使用者の肩に牽引力を加えるようにショルダレストを第一ボディサポートの上面に沿って相互に離れるように摺動させるための手段と、
を備え、
ヘッドレストおよびショルダレストは膨張可能な袋体を各々備え、かつヘッドレストおよびショルダレストに第一ボディサポートの上面を摺動させるための手段は、膨張可能な袋体を膨張させるための手段を備え、袋体の膨張は第一ボディサポートの上面に沿ったヘッドレストおよびショルダレストの摺動を引き起こすように構成された、
人体に牽引力を加えるための装置を提供する。
【０００５】
したがって、該装置は使用者に刺激およびリラクゼーションを提供する。
【発明を実施するための最良の形態】
【０００６】
以下、本発明の好適な実施形態について添付図面を参照しながら例示的に説明する。
【０００７】
図１および図２に示すように、装置１は第一ボディサポート２、ヘッドレスト３の形の第二ボディサポート、および二つのショルダレスト４の形の第三および第四ボディサポートを備える。第一ボディサポート２、ヘッドレスト３、および二つのショルダレスト４は、装置１の上に横たわる人にリラクゼーションおよびストレス解放をもたらすように膨張可能かつ収縮可能な袋体として形成される。
【０００８】
ボディサポート２は、膨張したときに三角柱またはくさび形として実質的に形作られたエア袋体である。ボディサポート２は、下端１０に向かってテーパし、ボディサポート２の最大高さを確定する上端１１を有する。ボディサポート２は、側壁８および頂壁９によって支持される上面７を有する。
【０００９】
図１に示すように、ヘッドレスト３はボディサポート２と流体的に接続されたエア袋体である。それは、ボディサポート２の側壁８の間に等距離位置に、ボディサポート２の側壁１１に隣接して配置される。ヘッドレスト３は、ボディサポート２の上面７の上に位置する。ヘッドレスト３は事実上枕を形成し、使用者の頭を安楽な位置に支持する。
【００１０】
設けられるヘッドレスト３は、ボディサポート２に接続されたアーム５の遠端に設けられている。アーム５は、ボディサポート２の側壁９の基部に接続される。接続点は上面７から離して配置される。アームは可撓性材料製であり、その遠端が上面７の上に重なりヘッドレスト３となるように、側壁９を中心に折り畳まれる。
【００１１】
図１に示す通り、ショルダレスト４もまた、ボディサポート２に流体的に接続されたエア袋体から形成されたアームである。二つのショルダレスト４は、ボディサポート２の下端１０と上端１１との間のほぼ中間に配置され、ボディサポート２の上面７の上に重なるように折り畳むことができる（図１参照）。一つのショルダレスト４はボディサポート２の一方の側壁８に関連付けられ、一つのショルダレスト４は他方の側壁８に関連付けられる。こうして二つのショルダレスト４は、各ショルダレスト４がエアクッション１の上に横たわる使用者の肩と接触するように、適切な距離だけ離して配置される。
【００１２】
ショルダレスト４の各々はアーム６の遠端によって提供される。アーム６は、ボディサポートの上端１１と下端１０との間のほぼ中間で、ボディサポート２の側壁８の底部に接続される。接続点は上面７から離して配置される。アーム６はボディレスト２と流体接続し、ショルダレスト４とボディサポート２との間の空気流動を可能にする。図７はショルダレスト４および使用者を支持するボディサポート２を示す。
【００１３】
ヘッドレスト３およびショルダレスト４はボディサポート２に屈撓自在に接続されるので、それらはボディサポート２に対して容易に動くことができる。この動きは、該装置の機能の不可欠の一部である。しかし、動きの量および／または方向を制限することが好ましい。これはストラップ１２（図１参照）によって達成される。ストラップ１２は、ボディサポート２の上面７をヘッドレスト３の下面に接続する。ストラップ１２はまた、ボディサポート２の上面７を二つのショルダレスト４の下面にも接続する。ヘッドレスト３およびショルダレスト４は、二つの離散領域に取り付けられたストラップ１２を持つことが好ましい。一組のストラップ１２は、ヘッドレスト３およびショルダレスト４の遠端に隣接して取り付けられる。第二組のストラップ１２は、アームの遠端とボディサポート２の側壁との間のほぼ中間に取り付けられる。
【００１４】
ストラップ１２は、ヘッドレスト３およびショルダレスト４がボディサポート２の上面７から動くことのできる距離を制限する。しかし、ストラップ１２は、ボディサポート２の上面７の平面内におけるヘッドレスト３およびショルダレスト４の動きを実質的に制限しない。ストラップ１２は代わりに、ヘッドレスト３およびショルダレスト４をボディサポート２の上面７に平衡に摺動させ、上面７に対し垂直方向の動きを防止する。ストラップ１２は弾性、非弾性、または弾性および非弾性の組合せとすることができる。ストラップ１２は、使用者の頭を支えるために、膨張後にヘッドレスト３の上面に凹形の形状を取り入れさせるために、使用することができる。ストラップ１２はまた、ヘッドレスト３およびショルダレスト４の上面７に平行な方向の動きを制限して、使用者に加えられる牽引力を制限するためにも使用される。
【００１５】
ストラップ１２はまた、ヘッドレスト３が膨張したときに、ヘッドレスト３が使用者の耳を覆うのを防止する。使用者の耳が覆われると結果的に聴覚が部分に失われ、この感覚遮断は不安を引き起こし、リラクゼーションを妨げることがある。
【００１６】
図１に示すように、ボディサポート２の側壁８には弁４１が設けられる。弁４１はボディサポート２のエア袋体のエアポンプ１５との接続を可能にする。エアポンプ１５は電動機によって動力を供給され、可撓管３４、３５を介してボディサポート２内に、使用者によって制御することのできる速度で空気を送り込む。ポンプ１５はまた、袋体を所要速度で収縮させるためにも使用することができる。
【００１７】
エアポンプ１５は、エアポンプ１５に電気的に接続されたハンドセット１７によって制御することが好ましい。ハンドセット１７は、エアポンプ１５のオンおよびオフの切替え、空気の流れの方向、つまり袋体が膨張するかそれとも収縮するのかの制御、または空気の流量の制御など、エアポンプの一つまたはそれ以上の機能を制御することができる。ハンドセット１７はまた、予め定められた時間後に可聴アラーム音が発生するように、タイマおよびアラームを備えることもできる。ハンドセット１７はまた、膨張／収縮繰返し機能を備えることもできる。この機能では、ハンドセット１７はエアポンプ１５に袋体を膨張させ、次いでエア袋体１を収縮させ、次いでこのサイクルを周期的に繰り返すように指示する。
【００１８】
ハンドセット１７はエアポンプ１５から遠隔配置されるので、使用者はハンドセット１７を保持しながら、エアポンプ１５の位置について柔軟性を持つ。図示した実施形態では、管３４がエアポンプ１５からＴ形コネクタ３５まで延びる。一本の管３４はＴ形コネクタ３５を弁４１に接続し、一本の管３４はＴ形コネクタ３５をハンドセット１７に接続する。これは、ハンドセット１７が弁１４に流入するエアの流量を制御することを可能にする。ハンドセット１７をエアポンプ１５に接続する電線は、管３４およびＴコネクタ３５内に通すことができる。
【００１９】
使用時に、装置１は床またはベッドのような平坦な水平面上に配置される。使用者は、彼／彼女の背中上部がボディサポート２によって支持されるように、仰臥位またはリクライニング姿勢でエアクッション１の上に横たわる。使用者の頭はヘッドレスト３上に配置され、使用者の肩はショルダレスト４の各々に一つずつ配置される。ポンプ１５がハンドセット１７でスイッチを投入され、エア袋体を膨張させ始める。ボディサポート２、ヘッドレスト３、およびショルダレスト４の全てが、徐々に充気し始める。ボディレスト２の袋体からヘッドレスト３およびショルダレスト４の袋体へ通過する空気は、狭窄オリフィス、例えば４５（図３参照）を強制通過させられる。これは、ボディレスト２が、よりゆっくり膨張するヘッドレスト３およびショルダレスト４に優先して、膨張することを意味する。
【００２０】
ボディサポート２およびアーム５が膨張するにつれて、それらは拡張する。アーム５は側壁９を圧迫し、壁９およびボディサポート２から遠ざかるように拡張する。ボディサポート２の拡張もまた、ボディサポートへのアームの接続点を中心に、アーム５を枢動させる。アーム５の動きはヘッドレスト３を、上面７に沿ってボディレスト２の上端１１に向かって摺動させる。ヘッドレスト２の動きは、ストラップ１２のため、ボディサポート２の上面７の面内で行なわれる。この動きは、使用者の頭を彼／彼女の胴体から遠ざかる方向に動かす、穏やかな力をもたらす。エア袋体は徐々に膨張するので、この力は徐々に増加し、したがって使用者は、リラックスし、穏やかにストレッチし、牽引する感覚を経験する。使用者は、リラクゼーションを妨げたり傷害を引き起こすような、いかなる鋭いあるいは突然の力も経験しない。
【００２１】
同様の方法で、ショルダレスト４は、それらのエア袋体が膨張するにつれて、徐々に外向きに動く。アーム６が膨張すると、それらは拡張し、側壁８を圧迫する。ボディサポート２の拡張もまた、アーム６を動かす。それらが拡張し続けると、アーム６の遠端のショルダレスト４は側壁８の方向に、ボディサポート２の上面７の中心から遠ざかるように引っ張られる。この動きはストラップ１２によってボディサポート２の上面７の面内に維持され、かつ動きは使用者の肩に漸進的な静かなストレッチ力をもたらす。
【００２２】
ヘッドレスト３およびそのアーム５、ならびにショルダレスト４およびそれらのアーム６の膨張および収縮は、ヘッドレスト３およびショルダレスト４をボディサポートの上面７から遠ざける傾向がある。ストラップ１２は、ヘッドサポート３およびショルダサポート４の動きが実質的に上面７の面内で行なわれることを確実にする。
【００２３】
装置１はさらに、使用者の背中の長さに沿って漸進的なストレッチ効果をもたらす。ボディサポート２のエア袋体が膨張すると、上面７は三角形の斜辺を形成する。これは、未膨張エア袋体の有効長より少し長いので、結果的に使用者の背中のストレッチを生じる。
【００２４】
完全に膨張したときに、ボディサポート２は三角柱の形状であり、使用者の頭が持ち上げられる。ボディサポート２は下端１０に向かってテーパするので、高さまたは圧力の急な変化の無い、使用者の背中のための連続した支持体になる。
【００２５】
ひとたびエア袋体が完全に膨張すると、それらは徐々に収縮する。これは、ポンプ１５を通して、またはハンドセット１７の狭窄弁を通して空気を引き戻すことによって、達成される。エアクッション１の収縮１はまた、空気がエア袋体１からゆっくりと放出されるので、使用者にリラックス経験を提供する。使用者はゆっくり沈む感覚を経験し、彼／彼女の頭および肩に働く力は徐々に減少する。
【００２６】
エア袋体１の膨張および収縮のサイクルは、希望するならば、周期的に繰り返すことができる。平坦な水平面上で使用されるだけでなく、エア袋体は、使用者が着座姿勢から後方にボディサポート２に寄りかかる状態で使用することもできる。
【００２７】
代替的使用法では、使用者は、彼／彼女の背中をヘッドサポート２に載せ、彼／彼女の頭を下端１１に隣接させた状態で、装置１の上に横たわることができる。これは異なる姿勢および形のリラクゼーションを提供し、リラックスさせる牽引感覚が背中下部および仙骨関節に付与される。
【００２８】
ヘッドレスト３の動きを増加するために、アーム５と側壁９との間にパッド１６（図６参照）を配置することができる（パッドはどちらかに取り付けることができる）。パッド１６は、アーム５と側壁９との間の空間を満たすように働くので、袋体が膨張すると、アーム５およびボディサポート２の拡張の結果、ヘッドレスト３が即座に動くようになる。パッド１６と同様のパッドを使用して、ショルダサポート４の動きを増加することもできる。
【００２９】
装置１は、成人である使用者の頭および胴体を支持するのに十分な大きさであることが好ましい。しかし、ボディサポートは、使用者の身体全体を支持するのに十分な大きさとすることができる。ボディサポート２は長さがかなり大きくなるが、装置は同様の方法で機能する。使用者の頭がヘッドサポート３の上にあるときに、使用者の足は下端１１に隣接することになる。
【００３０】
ボディサポート２が完全に収縮したときでも、使用者に多少の支持を提供するために、ボディサポート２の内側にインサート１３（図４参照）を配置することができる。インサート１３は直方体とするかまたは曲面を持つことができ、発泡体または類似物から作成することができ、あるいはそれは膨張可能にすることができる。インサート１３は、二つの側壁８から等距離に、かつボディサポート２の底部に（つまり、上面から間隔を置いて）、ボディサポート２の上端１１に隣接して配置することが好ましい。
【００３１】
発泡体のインサート１３は、使用者が追加的行為を実行することなく、使用者に支持を提供するという利点を有する。膨張可能なインサート１３はその膨張および収縮を可能にする弁を必要とし、かつ膨張可能なインサート１３は、使用者に支持を提供する前に、それを膨張させなければならない。しかし、膨張可能なインサート１３は、収縮させることができ、したがってエアクッション１を完全に収縮させて、小さいサイズに折り畳むことが可能であるという利点を有する。
【００３２】
装置１をこれまでエアポンプ１５によって膨張させるものとして記述してきた。代替的に、ボディサポート２は内枠の使用により自己膨張することができる。これは、別個のエアポンプ１５および電源が必要無いという利点を有する。
【００３３】
図８ないし１１に示すように、自己膨張は、ボディサポート２の外周に上面７に隣接して取り付けられたブラケット１９（図１１参照）を使用して達成される。コーナブラケット２０もまたボディサポート２に取り付けられ、ばね負荷される。単数または複数の可撓性ロッド２１がブラケット１９およびコーナブラケット２０に挿通される。これは、ボディサポート２の側壁８が緊張状態にあることを確実にする。
【００３４】
ボディサポート２の内部に、Ｚ形の枠（図１０参照）が頂板２２、中間板２３、および底板２４から形成される。頂板２２および中間板２３は、蝶番２５（図８および９参照）によって回転自在に接合され、中間板２３および底板２４もまた蝶番２５によって回転自在に接合されて、断面がＺ字形の枠が形成される。弾性インサート３２（図８および９参照）は、頂板２２と中間板２３との間に蝶番２５に隣接して挿入され、弾性インサート３２（図８および９参照）は、中間板２３と底板２４との間に蝶番２５に隣接して挿入される。弾性インサート３２は、弾性特性を有する発泡体状材料から形成される。弾性インサート３２は中間板２３に蝶番２５を中心に回転させ、頂板２２は、蝶番２５を中心に回転することによって、中間板２３から上方に遠ざかるように促される。こうして、底板２４および頂板２２は、それらが実質的に平行かつ相隔てて位置する状態へと促される。
【００３５】
抑制コード２９は、頂板２２が底板２４から遠ざかることのできる距離を制限する。抑制コード２９は、頂板２２および底板２４に接続され、中間板２３で装置３３内を貫通する。抑制コード２９はしたがってＺ形枠の最大高さを制限し、それに荷重が掛からないときにはそれが一貫したサイズに戻ることを確実にする。頂板２２の上に弾性パッド３０が配置される。パッド３０は、剛性頂板２２に対する緩衝を使用者に提供する。
【００３６】
底板２４は、図１０に示すように、スリーブ３１によってボディサポート２の下部に固定される。スリーブ３１は、底板２４よりわずかに大きい寸法の材料の略矩形片である。スリーブ３１は三方をボディサポート２の内側に付着され、スリーブ２４とボディサポート２との間に底板２４を挿入することが可能である。底板２４はしたがって、所定の位置に着脱自在に保持される。
【００３７】
Ｚ形枠の動きは、バトン２６、ロッド２７、およびブラケット２８（図１０参照）によって、ボディサポート２の上の枠に伝達される。バトン２６は頂板２２に固定され、二つのバトン２６が頂板２２をボディサポート２の各側壁８に接続する。ロッド２７がバトン２６の遠端に接続され、ロッド２７は側壁８と平行に延びる。ロッド２７はブラケット２８に固定される。ブラケット２８は、側壁８の枠を形成するロッド２１に固定される。Ｚ形枠はこうして、ボディサポート２の外周枠に接続される。
【００３８】
装置は、最初は、Ｚ形枠が実質的に平坦に折り畳まれた状態で、収縮される。装置を使用するように準備するために、弁（例えばハンドセット１７にある）が開かれ、次いで空気がボディサポート２内に流入することが可能になり、頂部の板２２が弾性インサート３２によって底板２４と相隔たる関係へと促される。これにより、ロッド２７およびロッド２１によってボディサポート２の幅全体にわたって、ボディサポート２の高さが増大する。次いで、使用者がボディサポート２の上に横たわると、彼／彼女の体重が弾性インサート３２を圧迫し、Ｚ形枠を押し潰す。
【００３９】
ヘッドレスト３およびショルダレスト４は、ボディサポート２と流体連通状態で、アームの遠端に設けられる（図１１参照）。使用時に、アームは、図１１のそれらの展開位置から、それらの遠端がボディレスト２の頂面の上に重なり、ヘッドレストおよびショルダレストを提供する位置に折り曲げられる。アーム内への空気の流入を遅らせるために、狭窄を設けることが好ましい。ヘッドサポート３を提供するアーム５が図９に示され、そこで側壁１１に狭窄弁４３を見ることができる。アーム５とボディサポート２との間の全ての流体連通は、狭窄弁４３を介する。弁４３は、アーム５への制限された空気流量を可能にするように選択される。
【００４０】
ショルダレスト４のアームへの空気流量の狭窄も、適切な狭窄弁によって達成することが好ましい。アーム６とボディサポート２との間の全ての流体連通は、アーム６への制限された空気流量を可能にする狭窄弁を介することが好ましい。
【００４１】
使用者が装置に寄りかかると、拡張したボディレスト２内の空気は、使用者の体重によって圧縮され、圧縮された空気は狭窄弁を介してアーム５、６内に流入し、次いでそれらは膨張する。アームの膨張はヘッドレスト３およびショルダレスト４を、ボディサポート２の上面７上で摺動させ、使用者の首および肩に牽引力を加える。この期間中、ハンドセット１７の弁は閉じられ、空気が装置から大気中に流出するのを防止する。
【００４２】
牽引力の付与後、ハンドセット１７は、空気を装置から外に流出させ、使用者の体重によりＺ形枠を圧縮させるように操作される。ボディサポート２の圧縮の速度は、ハンドセット１７内の弁を通過する空気流量を制限することによって、制御することができる。これにより、使用者は空気の流量を制御することができる。ハンドセットは、空気の流量を変えるために使用者がサイズを変化させることができる、可変アパーチャを有する。
【００４３】
上記装置の両方の実施形態は、エアクッション１が膨張するときに外向きに動くショルダレスト４を有する。しかし、装置１の一部の先進的な外向きの動きを達成することのできる他の手段がある。図１２および１３に示す別の実施形態では、ショルダレスト４が無く、代わりにボディサポート２には対向内壁１８が設けられる。内壁１８は、ボディサポート２の中心にスリットを画定する。対向内壁１８は側壁８の間の中心に配置され、下端１０と上端１１との間の中心位置で、ボディサポート２の長さの約半分にわたって延在する。図１３に示すように、内部側壁１８は、エア袋体が膨張したとき、側壁８の長さより大きい長さになる。
【００４４】
ボディサポート２が膨張し始めると、対向内壁１８は、ボディサポート２内部の空気圧によって圧迫し合う。空気圧が増加し続けると、内部側壁１８の過度の長さ（側壁８と比較して）が徐々に、ボディサポート２の周囲の上面７および下面より高く突出する、壁の形成部分に変化する。したがって、ボディサポート２の幅が中心から増大し、つまり、上面７の材料がボディサポート２の中心領域で中心から外方に延出するようになる。これは、ショルダサポート４によって達成されるのと同様の外向きの力を使用者の肩に徐々にもたらす効果を有する。収縮後に、ボディサポート２は縮小し、内部側壁１８の長さは減少する。これは、上面７の面内で、ボディサポート２の中心に向かう内向きの力を利用者の肩に提供する。
【００４５】
図１２に示すように、ヘッドレスト３にタブ３６を設けることができ、かつボディサポート２にタブ３７を設けることができる。タブ３６および３７は、エアクッション上に対称的に配置され、ボディサポート２およびヘッドサポート３がまっすぐな状態であるかどうかを使用者が手動で判断することを可能にする。ヘッドレスト３については、上記実施形態で説明した通りである。
【００４６】
図１２および１３に示す通り、装置１にはアームサポート３９を設けることができる。アームサポート３９はボディサポート２の二つの側壁８に配置され、ボディサポート２から外向きに延出する。アームサポート３９は、使用者の腕の支持を提供する。アームサポート３９は膨張可能であることが好ましく、アーム弁４０によってボディサポート２と流体接続される。アーム弁４０は、アーム内への空気の自由通過を可能にし、あるいはアーム内への空気の流入を抑制することができる。代替的に、アーム弁４０を閉じて、アームサポート３９が膨張しないようにすることができる。アームサポート３９は、ボディサポート２の後ろに折り曲げることができる。
【００４７】
各実施形態において、ボディサポート２が大きい圧力下に置かれた場合に、空気をボディサポート２から排出させる、バースト弁をボディサポート２に設けることができる。該弁はこうして、エア袋体が大きい圧力に曝された場合にそれが破裂するのを防止する。そのような弁はまた、空気を急速にエア袋体に流入させたり、エア袋体から排出させるために開くこともできる。
【００４８】
ボディサポート２、ヘッドレスト３、ショルダレスト４、およびもし使用するならばアームサポート３９は、カバーで覆うことが好ましい。カバーは損傷および磨耗を防止する。カバーは取外し可能であり、かつ魅力的な外見を提供する。
【００４９】
ボディサポート２、ヘッドレスト３、ショルダレスト４、およびもし使用するならばアームサポート３９は、ＰＶＣ、ゴム引きコットン、または類似の材料から製造することが好ましい。これらの材料は軽量、可撓性であり、気密密封を形成することができる。ボディサポート２、ヘッドレスト３、ショルダレスト４、またはアームサポート３９のいずれの部品も、装置にパッドおよび構造を提供するために、発泡体状材料から形成することができる。
【００５０】
カバーは、コットン、マイクロパイル、フロック、またはベロアのような、使用者が触れるのに快適で心地よい材料から形成することができる。
【００５１】
上記で、ヘッドレスト３について、アーム５と流体接続状態のエア袋体として記載した。しかし、ヘッドレストをアーム５とは独立して形成することも可能である。
【００５２】
ヘッドレスト３は、使用者の頭の支持を提供するために、発泡体のような材料から形成することができる。ヘッドサポート３は、アーム５が膨張したときに、依然としてボディサポート２に対して相対的に動く。さらにアーム５はボディサポート２とも流体連通しないようにすることもできるが、別個に膨張可能にすることができる。
【００５３】
ショルダレスト４について、アーム６の一部として記載した。しかし、ショルダレスト４をアーム６とは独立するように形成することも可能である。ショルダレスト４は膨張可能にしないことができ、代わりに、発泡体のような材料から形成して、使用者の肩のための支持を提供することができる。ショルダレスト４は、アーム６が膨張したときに、依然としてボディサポート２に対して相対的に動く。さらに、アーム６はボディサポート２２とも流体接続しないようにすることもできるが、別個に膨張可能にすることができる。
【図面の簡単な説明】
【００５４】
【図１】本発明に係る装置の第一実施形態の斜視図である。
【図２】図１の装置の斜視図である。
【図３】図１および図２の装置の一部分における断面図である。
【図４】部分的に展開された状態のヘッドレストを示す、図１ないし図３の装置の第一変形例の断面図である。
【図５】ヘッドレストが折り畳まれ、部分的に収縮した状態の変形例を示す図４の変形例の断面図である。
【図６】図１ないし図３の装置の第二変形例の断面図である。
【図７】ショルダレストを示す図１ないし図３の装置の一部分の立面図である。
【図８】ヘッドレストが折り畳まれた状態の本発明の第二実施形態の装置の一部分の第一断面図である。
【図９】ヘッドレストが折り畳まれた状態の図８に示した装置の一部分の第二断面図である。
【図１０】図８および図９の装置の折り畳み枠組の斜視図である。
【図１１】図８ないし図１０の装置の平面図である。
【図１２】本発明の第三実施形態に係る装置の平面図である。
【図１３】図１２の装置の一部分の図である。
【国際調査報告】
2006517438.tif 000016
2006517438.tif 000017
2006517438.tif 000018
2006517438.tif 000019
2006517438.tif 000020